(57)【要約】【課題】ノイズ成分を含有する映像信号をディジタル化し圧縮符号記録すると、全体的に画質が低下し、ブロックノイズ等が発生する。【解決手段】量子化器２で量子化した映像信号を、同期信号分離器１１で水平同期信号を分離し、水平同期信号を所定の電圧で２値化し本来の同期信号を減じることで同期信号ノイズ量を積算器１２で得、同期信号ノイズ量と第１の基準値をを比較器１３で比較し、同期信号ノイズ量が第１の基準値以上の場合には第１のカウンタに１を加え、同期信号ノイズ量が第１の基準値未満の場合には１を減じる第１のカウンタ１５のカウンタ値が、第１の閾値以上であればノイズ成分が多い弱電界と判別し、ノイズリダクション器２２でノイズ成分を除去した後、映像信号を圧縮黄２３で圧縮符号化する。【選択図】図１
2005167553.tif 000002
【特許請求の範囲】
【請求項１】
入力した映像信号を量子化画素値に量子化する量子化手段と、前記映像信号に混入するノイズ成分を判別するノイズ判別部と、前記映像信号を圧縮する圧縮処理部とを備え、
前記ノイズ判別部は、
前記量子化手段で得られた前記量子化画素値の水平同期期間及び垂直同期期間を分離する同期信号分離手段と、
前記同期信号分離手段で分離した量子化画素値の水平同期信号を所定の電圧値で垂直同期期間の間２値化し水平同期信号数を累算した第１の積算値から、前記所定の電圧値で本来の水平同期信号を垂直同期期間の間２値化し累積した値を減算して同期信号ノイズ量を得る同期信号ノイズ量積算手段と、
前記同期信号ノイズ量と、前記所定の電圧値から導入される第１の基準値とを比較する第１の比較手段と、
前記第１の比較手段において、前記同期信号ノイズ量が前記第１の基準値以上であれば１を第１のカウンタ値に加え、前記同期信号ノイズ量が前記第１の基準値未満であれば第１のカウンタ値から１を減じる第１のカウンタ手段と、
前記第１のカウンタ値が垂直同期期間に基づき得られる第１の閾値以上であれば前記映像信号にノイズ成分が重畳されていると判別し、前記第１のカウンタ値が前記第１の閾値未満であれば前記映像信号にノイズ成分が重畳されないと判別する第１の判別手段と、
を備え、
前記圧縮処理部は、
前記第１の判別手段が弱電界信号と判別した量子化映像信号のノイズを除去するノイズリダクション手段と、
前記ノイズリダクション手段でノイズを除去した前記量子化映像信号を圧縮する圧縮手段と、
を備えることを特徴とする映像信号圧縮装置。
【請求項２】
入力した映像信号を量子化画素値に量子化する量子化手段と、前記映像信号に混入するノイズ成分を判別するノイズ判別部と、前記映像信号を圧縮する圧縮処理部とを備え、
前記ノイズ判別部は、
前記量子化手段で得られた前記量子化画素値の水平同期期間及び垂直同期期間を分離する同期信号分離手段と、
前記同期信号分離手段で分離した量子化画素値の垂直同期信号を映像レベルの所定の電圧値で２値化し垂直同期信号数を累積することで映像信号ノイズ量を積算する映像信号ノイズ量積算手段と、
前記映像信号ノイズ量と、前記映像信号ノイズ量を積算した期間に基づき得られる第２の基準値とを比較する第２の比較手段と、
前記第２の比較手段において、前記映像信号ノイズ量が前記第２の基準値以上であれば１を第２のカウンタ値に加え、前記映像信号ノイズ量が前記第２の基準値未満であれば第２のカウンタ値から１を減じる第２のカウンタ手段と、
前記第２のカウンタ値が前記映像信号ノイズ量の算出期間に基づき得られる第２の閾値以上で有れば前記映像信号にノイズ成分が重畳されていると判別し、第２のカウンタ値が前記第２の閾値未満であれば前記映像信号にノイズ成分が重畳されないと判別する第２の判別手段と、
を備え、
前記圧縮処理部は、
前記第１の判別手段が弱電界信号と判別した量子化映像信号のノイズを除去するノイズリダクション手段と、
前記ノイズリダクション手段でノイズを除去した前記量子化映像信号を圧縮する圧縮手段と、
を備えることを特徴とする映像信号圧縮装置。
【請求項３】
請求項１記載のノイズ判別部、請求項２記載のノイズ判別部及び前記圧縮処理部を備え、
前記第１の判別手段が前記映像信号にノイズ成分が重畳されていると判別し、かつ、前記第２の判別手段が前記映像信号にノイズ成分が重畳されていると判別したとき、前記圧縮処理部に当該映像信号にノイズが重畳されているとの判別を下す第３の判別手段を備えることを特徴とする映像信号圧縮装置。
【発明の詳細な説明】
【技術分野】
【０００１】
本発明は入力した映像信号に含まれるノイズ成分を判別した後、当該映像信号を圧縮処理する映像信号圧縮装置に関する。
【背景技術】
【０００２】
ディジタル技術の進歩に伴い、地上波放送等のアナログ映像信号を、例えばＤＶＤ（デジタル  バーサタイル  ディスク）に保存する要望が強い。その一環として、ＤＶＤレコーダが販売され、普及期を迎えている。ディジタル映像信号に変換すると、ＭＰＥＧ（Ｍｏｔｉｏｎ  Ｐｉｃｔｕｒｅ  ｃｏｄｉｎｇ  Ｅｘｐｅｒｔｓ  Ｇｒｏｕｐ）等の動画圧縮技術を適用することで、画質の劣化を抑えながら動画を記録できるため、アナログ映像信号をディジタル映像信号に変換した後映像信号を圧縮符号化すると、ＤＶＤ−ＲＡＭ，ＤＶＤ−Ｒ，ＤＶＤ−ＲＷ，ＤＶＤ＋Ｒ，ＤＶＤ＋ＲＷの記録型ＤＶＤに効率よく記録することができる。
【０００３】
ＤＶＤレコーダにはチューナが備わり、チャンネルを選択することによりテレビ番組等所望の番組みを選択し、録画する。ところが地上波は周知のようにチャンネルによって受信状況が均一ではなく、受信した映像信号に電波状況に応じてノイズが多いいわゆる弱電界チャンネルが生じる地域がある。このノイズの多い弱電界のチャンネルで得られる映像信号を、ディジタル化し圧縮符号化して記録型ＤＶＤに録画すると、記録した映像信号にもノイズが重畳し、再生するとブロックノイズと称される目障りなノイズが再生画面に生じる。
【０００４】
このノイズ成分を含む映像信号を圧縮符号化する技術としては、例えば特許文献１が知られている。特許文献１は、Ａ／Ｄ変換したディジタル映像信号から分離した水平同期信号と垂直同期信号とを２つの基準電位とそれぞれ比較し、両者が共に下回っていると同期検出部が同期信号を検出し、検出した同期信号を各ライン長の相互の変動量の累積値等をＡ／Ｄ変換用クロックを用いてサンプリング数を順次カウントし、カウント値と基準値とを比較することで標準信号／非標準信号を判別し、非標準信号と判別した場合には、フィルタのカットオフ周波数を低くすることで圧縮効率を高め、記録容量をより効率的に利用する技術も開示している。
【特許文献１】特開２００２−１９９３３８号公報（段落番号００５９〜同００６６、同００７３、同００９９〜同０１０４、図７）
【発明の開示】
【発明が解決しようとする課題】
【０００５】
しかしながら、特許文献１に開示の技術では、標準信号／非標準信号の検出結果に応じて逐次圧縮率を変化させ、非標準信号の場合には標準信号の場合よりも圧縮率を高めて符号化するため、記録媒体への記録容量の点では高効率に記録できるが、非標準信号と判別した画質は無視して記録することとなり、圧縮符号化する対象の映像信号に標準信号が多く含まれている場合には有効でる。ところが、圧縮符号化対象の映像信号が、伝送経路の状態悪化に起因する同期信号波形の鈍化またはノイズ成分の混入等により非標準信号が目立つ場合がある。特に、地上波放送における弱電界地域では受信する映像信号には多大なノイズ成分を混入し、上記特許文献１でいう非標準度が高い映像信号となる。このような場合、非標準信号と判別する度合いが多いため、特許文献１に開示の技術では記録媒体に記録したディジタル映像信号または出力するディジタル映像信号は全体的に高圧縮化することとなり、ディジタル映像信号を高圧縮化するということは映像帯域も帯域制限され圧縮歪みが発生し、元来ノイズ成分が多い低画質の映像信号を高圧縮化及び圧縮歪みにより益々低画質化が進行し、ディジタル画像特有のブロックノイズが発生し易いという課題がある。
【０００６】
本発明は、係る従来の課題に鑑み、ノイズ成分を含有する映像信号を高画質を維持しながら高圧縮できる装置を提供することを目的とする。
【課題を解決するための手段】
【０００７】
上記課題を解決する本発明の映像信号圧縮装置は、入力した映像信号を量子化画素値に量子化する量子化手段と、前記映像信号に混入するノイズ成分を判別するノイズ判別部と、前記映像信号を圧縮する圧縮処理部とを備え、
前記ノイズ判別部は、
前記量子化手段で得られた前記量子化画素値の水平同期期間及び垂直同期期間を分離する同期信号分離手段と、前記同期信号分離手段で分離した量子化画素値の水平同期信号を所定の電圧値で垂直同期期間の間２値化し水平同期信号数を累算した第１の積算値から、前記所定の電圧値で本来の水平同期信号を垂直同期期間の間２値化し累積した値を減算して同期信号ノイズ量を得る同期信号ノイズ量積算手段と、前記同期信号ノイズ量と、前記所定の電圧値から導入される第１の基準値とを比較する第１の比較手段と、前記第１の比較手段において、前記同期信号ノイズ量が前記第１の基準値以上であれば１を第１のカウンタ値に加え、前記同期信号ノイズ量が前記第１の基準値未満であれば第１のカウンタ値から１を減じる第１のカウンタ手段と、前記第１のカウンタ値が垂直同期期間に基づき得られる第１の閾値以上であれば前記映像信号にノイズ成分が重畳されていると判別し、前記第１のカウンタ値が前記第１の閾値未満であれば前記映像信号にノイズ成分が重畳されないと判別する第１の判別手段と、を備え、
前記圧縮処理部は、
前記第１の判別手段が弱電界信号と判別した量子化映像信号のノイズを除去するノイズリダクション手段と、前記ノイズリダクション手段でノイズを除去した前記量子化映像信号を圧縮する圧縮手段と、を備える構成を有する。
【０００８】
また、本発明の映像信号圧縮装置は、入力した映像信号を量子化画素値に量子化する量子化手段と、前記映像信号に混入するノイズ成分を判別するノイズ判別部と、前記映像信号を圧縮する圧縮処理部とを備え、
前記ノイズ判別部は、
前記量子化手段で得られた前記量子化画素値の水平同期期間及び垂直同期期間を分離する同期信号分離手段と、前記同期信号分離手段で分離した量子化画素値の垂直同期信号を映像レベルの所定の電圧値で２値化し垂直同期信号数を累積することで映像信号ノイズ量を積算する映像信号ノイズ量積算手段と、前記映像信号ノイズ量と、前記映像信号ノイズ量を積算した期間に基づき得られる第２の基準値とを比較する第２の比較手段と、前記第２の比較手段において、前記映像信号ノイズ量が前記第２の基準値以上であれば１を第２のカウンタ値に加え、前記映像信号ノイズ量が前記第２の基準値未満であれば第２のカウンタ値から１を減じる第２のカウンタ手段と、前記第２のカウンタ値が前記映像信号ノイズ量の算出期間に基づき得られる第２の閾値以上で有れば前記映像信号にノイズ成分が重畳されていると判別し、第２のカウンタ値が前記第２の閾値未満であれば前記映像信号にノイズ成分が重畳されないと判別する第２の判別手段と、を備え、
前記圧縮処理部は、
前記第１の判別手段が弱電界信号と判別した量子化映像信号のノイズを除去するノイズリダクション手段と、前記ノイズリダクション手段でノイズを除去した前記量子化映像信号を圧縮する圧縮手段と、を備える構成を有する。
【発明の効果】
【０００９】
本発明の映像信号圧縮装置は、入力された映像信号をディジタル化し圧縮処理前に、当該映像信号に弱電界に起因するノイズ成分の有無を判定すると共に、弱電界によるノイズの影響の度合いについて判別手段で重み付けし、当該判別手段の判別結果に基づきノイズの多い映像信号にのみノイズリダクションを動作させるため、ノイズ成分の多少に関わらず同じ圧縮率で映像信号を圧縮化することができ、ノイズ成分まで圧縮化することによるディジタル映像信号に見られるブロックノイズを抑制しながら、高効率に圧縮することができ、例えば情報媒体の情報層に記録する場合には当該情報層を効率的記録することができ、当該情報層に記録したディジタル映像信号を再生する際にも高画質の映像で視認することができる。
【発明を実施するための最良の形態】
【００１０】
以下、本発明の映像信号圧縮装置の一実施形態を、図面を参照して説明する。
【００１１】
（実施の形態１）
次に、本発明の一実施形態を、図面を参照して説明する。図１は、本発明の一実施形態における映像信号圧縮装置の構成を示すブロック構成図である。本実施形態の映像信号圧縮装置は、映像信号が含むノイズ量を判別する第１のノイズ判別部１０と、当該第１のノイズ判別部１０の判別結果に応じて映像信号を圧縮する圧縮処理部２０を含む。１は映像信号が入力される映像信号入力端子、２は映像信号入力端子１から入力された映像信号を量子化する量子化器、１１は量子化器２で量子化画素値から水平同期信号を垂直同期信号とを分離する同期信号分離器、１２は同期信号分離器１１で分離した同期信号に含まれるノイズ成分を累積する積算する同期信号ノイズ量積算器、１３は同期信号ノイズ量積算器１２から出力される第１のノイズ量積算値から第１の基準値設定器１４で設定される第１の基準値と大小を比較する第１の比較器、１５は第１の比較器１３の比較結果に応じて第１のカウンタ値を増減する第１のカウンタ、１６は第１のカウンタ値と第１の閾値設定器１７で設定される第１の閾値と比較し映像信号に含まれるノイズの多さを判別する第１の判別器であり、２１は第１のノイズ判別部１０の判別結果に応じて映像信号の圧縮処理を切り替える切替器、２２は映像信号のノイズを除去するノイズリダクション器、２３はディジタル映像信号を圧縮符号化する圧縮器、２４は圧縮符号化信号を出力する出力端子である。
【００１２】
次に、本実施形態の映像信号圧縮装置の動作を図１〜３を参照して説明する。なお、本実施形態の映像信号は、地上波を介して映像信号入力端子１に入力されるＮＴＳＣ規格を例に採り説明する。映像信号を量子化器２で量子化した量子化画素値を、本実施形態の映像信号圧縮装置における第１のノイズ判別部１０に入力する。量子化画素値は同期信号分離器１１で水平同期信号と垂直同期信号とに分離する。地上波の電波状況が悪い（以下、弱電界と称し、弱電界による映像信号を弱電界信号と称す）場合には、真の映像信号全体にランダムにノイズ成分が重畳するため、ノイズ成分だけを抽出することができない。そこでノイズ成分が重畳した映像信号からノイズ成分のみを選択的に抽出する手段として、水平ブランキング期間に注目した実施形態である。本実施形態ではＮＴＳＣ規格の場合であるため、水平ブランキング期間とは図２に時間・電圧関係で示すように、カラーバーに挟まれた期間に電圧０ＩＲＥレベルのフロントポーチ、電圧−４０ＩＲＥの水平同期パルス、電圧±２０ＩＲＥのカラーバーストを含むバックポーチからなる。但し、実際の水平同期パルスとバックポーチとは同じ時間長さである。弱電界に起因するノイズは、前述したようにランダムに映像信号全体に重畳するため、水平ブランキング期間にも同様に重畳する。但し、この水平ブランキング期間におけるフロントポーチ及び水平同期パルスの電圧レベルはそれぞれ０ＩＲＥ及び−４０ＩＲＥと一定であり、水平ブランキング期間中で０ＩＲＥと−４０ＩＲＥとの間の電圧レベル（例えば−２０ＩＲＥ）で２値化した値と、本来の２値化による値（図２では２）とを減算すると、ノイズ成分のみを抽出することができる。また、±２０ＩＲＥの振幅を有するカラーバースト成分をフィルタリングを行えば振幅がほぼ０ＩＲＥ化できるため、２値化する電圧を選択すると水平ブランキング期間全体でノイズ成分を抽出することができ、抽出期間がフロントポーチと水平同期パルスよりも長くすることで、ノイズ成分の抽出精度を向上することができる。このように、同期信号ノイズ量積算器１２では、図３に示すように同期信号分離器１１で分離した圧縮対象の映像信号の水平同期信号を所定の電圧レベルで２値化することでサンプリング数の累積を１垂直期間積算し、１垂直期間累積したノイズ量積分値から本来の１垂直期間のライン数を減算しノイズ成分のみを抽出する。なお、垂直期間はフィールド期間であってもフレーム期間であっても何れでも良く、選択する垂直期間に応じてフィールド期間であれば２６２か２６３となり、フレーム期間であれば５２５となる。
【００１３】
同期信号ノイズ量積算器１２で得られたノイズ量累積値と、０以上２５５以下から選択される所定の整数の基準値（例えば５０）との大小を第１の比較器１３で比較し、ノイズ量累積値が基準値以上であればカウンタに＋１し、逆にノイズ量累積値が基準値未満であればカウンタに−１する第１のカウンタ１５でカウントすることで、カウンタ値を算出する。なお、ノイズ量累積値はランダムノイズであるため下限は０で規定できるが上限は規定できないが、本実施形態で用いた第１のカウンタは８ビットであるため２５５である。また、第１の基準値設定器１４で設定する基準値は、映像信号の電波状態と、当該映像信号を圧縮記録した映像信号の画質との関係を実験によって決定すれば良く、上述の５０はその一例であり５０に限定するものではない。以上のようにして得られた算出値と０以上６００以下の所定の閾値（例えば５４０）との大小を比較し、算出値が閾値以上であればノイズ成分が多い映像信号と做し弱電界信号とし、算出値が閾値未満であるとノイズ成分が少ない映像信号と做し非弱電界信号と判別する。なお、第１の閾値設定器１７で設定する閾値も、映像信号の弱電界・非弱電界判別結果と、当該映像信号を圧縮符号化記録した記録信号の画質との関係に応じて設定できる値であり、５４０に限定するものではない。
【００１４】
次に、第１の判別器１６が非弱電界信号と判別した場合には、切替器２１は圧縮器２３を選択し直接圧縮符号化することで映像信号出力端子２４を介して出力するが、第１の判別器１６が弱電界信号と判別した場合には、当該映像信号から弱電界に起因するノイズをノイズリダクション器２２を選択し、ノイズリダクション器２２を介して圧縮器２３で圧縮符号化し映像信号出力端子２４に出力する。ノイズリダクション器２２としては、実映像信号から変換したディジタル映像信号に含まれる色および輝度信号のノイズ除去を、３次元ノイズリダクション、水平ノイズキャンセラー、及び／またはローパスフィルタ等のノイズ除去手段を単独または必要に応じて適宜組み合わせて用いることができる。
【００１５】
このように、本実施形態では水平ブランキング期間の映像信号を２値化サンプリングすることにより得られた圧縮対象の映像信号の水平同期信号ノイズ量を１垂直期間累積し、当該累積値をＮＴＳＣ規格の走査線数を減じてノイズ成分の積算値を抽出し、この積算値と所定の基準値とを比較しカウントした算出値を閾値と比較して弱電界信号か非弱電界信号かを判別した後、弱電界信号と判別した場合のみノイズリダクションを行い圧縮符号化するため、弱電界に起因するノイズのみを選択的にノイズ除去することができ、圧縮符号化した映像信号を高画質化できる効果がある。
【００１６】
（実施の形態２）
次に、本発明の映像信号圧縮装置の他の実施形態を、図４〜６を参照して説明する。なお、本実施形態の映像信号も実施形態１と同様、地上波を介して映像信号入力端子１に入力されるＮＴＳＣ規格を例に採り、電波状況が悪いチャンネルに起因して映像信号にノイズが生じる場合について説明する。図４は、本実施形態の映像信号圧縮装置の構成を説明するブロック図であり、映像信号が含むノイズ量を判別する第２のノイズ判別部３０と、当該第２のノイズ判別部３０の判別結果に応じて映像信号を圧縮する圧縮処理部２０を含む。１は映像信号が入力される映像信号入力端子、２は映像信号入力端子１から入力された映像信号を量子化する量子化器、３１は量子化器２で量子化画素値から水平同期信号を垂直同期信号とを分離する同期信号分離器、３２は同期信号分離器３１で分離した映像信号に含まれるノイズ成分を累積する積算する映像信号ノイズ量積算器、３３は映像信号ノイズ量積算器３２から出力される第２のノイズ量積算値から第２の基準値設定器３４で設定される第２の基準値と大小を比較する第２の比較器、３５は第２の比較器３３の比較結果に応じて第２のカウンタ値を増減する第２のカウンタ、３６は第２のカウンタ値と第２の閾値設定器３７で設定される第２の閾値と比較し映像信号に含まれるノイズの多さを判別する第２の判別器であり、２１は第１のノイズ判別部３０の判別結果に応じて映像信号の圧縮処理を切り替える切替器、２２は映像信号のノイズを除去するノイズリダクション器、２３はディジタル映像信号を圧縮符号化する圧縮器、２４は圧縮符号化信号を出力する出力端子である。
【００１７】
次に、本実施形態の映像信号圧縮装置の動作を図４〜６を参照して説明する。本実施形態の映像信号圧縮装置における第２のノイズ判別部３０に、映像信号入力端子１を介して入力された映像信号を量子化器２で量子化した量子化画素値を入力する。量子化画素値から同期信号分離器３１で水平同期信号と垂直同期信号とを分離する。弱電界の場合には、真の映像信号全体にランダムにノイズ成分が重畳するため、ノイズ成分だけを抽出することができない。そこでノイズ成分のみを選択的に抽出するため、本実施形態では垂直ブランキング期間に注目し、当該垂直ブランキング期間を２値化することでノイズ成分を分離する。図５はＮＴＳＣ規格における垂直ブランキング期間の電圧・時間関係を示す概念図である。垂直ブランキング期間は、前置等化パルス、垂直同期パルス及び後置等化パルスの順で始まる。垂直ブランキング期間自体には映像信号はなく、この３種類のパルスは何れも同じ期間（いわゆる３Ｈ）であり、前置等化パルス及び後置等化パルスには０ＩＲＥから負の値を示す同じ幅（２．３±０．１μｓ）の等化パルス、垂直同期パルスは等化パルスと逆極性の切り込みパルス（幅４．７±０．１μｓ）を有する。しかしながら、弱電界信号に起因するノイズは映像信号にランダムに重畳するため、本来映像信号がない垂直ブランキング期間にもノイズはランダムに重畳する。この垂直ブランキング期間に重畳するノイズ量でノイズ成分を抽出できることに注目した実施形態である。すなわち、垂直ブランキング期間の垂直同期パルス（３Ｈ）及び後置等化パルス（３Ｈ）を、０ＩＲＥから１００ＩＲＥの間の所定の電圧で２値化カウントすることで、映像信号に含まれるノイズ量が映像信号ノイズ積算器３２で積算できる。なお、上記説明では垂直ブランキング期間の垂直同期パルスと後置等化パルスとの合計６Ｈ期間を２値化して積算したが、前置等化パルスの３Ｈ期間のみ、垂直同期パルスの３Ｈ期間のみ、後置等化パルスの３Ｈ期間のみであっても良いが、期間が短いとノイズ量積算に精度が劣る可能性がある。また、前置等化パルス期間と垂直同期パルス期間との合計６Ｈ期間、前置等化パルス、垂直同期パルス及び後置等化パルスの合計９Ｈ期間であっても適用できる。但し、Ｖシンクからカウントした方が精度がとれるため、６Ｈ期間を採用する場合は、垂直同期パルスの３Ｈから始め後置等化パルスの３Ｈの合計６Ｈ期間を採用することが一般的である。さらに、垂直ブランキング期間全体に亘りノイズ量を積算することも可能であるが、垂直ブランキング期間における後置等化パルスに続く期間には例えばデータ放送における字幕等の映像信号等が重畳する等があるため、当該映像信号をノイズ量として積算する可能性があるため、一般的には垂直ブランキング期間の最初の９Ｈから選択することが好ましい。
【００１８】
このようにして積算した映像信号ノイズ量積算値と、第２の基準値設定器３４で設定した所定の第２の基準値とを第２の比較器３３で比較する。上述の垂直同期パルスの３Ｈと後置等化パルスの３Ｈとでは、一般に映像信号ノイズ量積算値は０以上１５以下となるため、第２の基準値としては例えば１０とする。なお、この第２の基準値は、映像信号に含まれるノイズ成分、２値化に適用する電圧値、及び適用するテレビジョン規格等により変動するが、実験により所定の値を求め当該値を適用することができる。次に、第２の比較器３３での比較結果が、映像信号ノイズ量積算値が第２の基準値以上であればカウンタに＋１し、逆に映像信号ノイズ量積算値が第２の基準値未満であればカウンタに−１する第２のカウント器３５でカウントすることで、第２のカウント値を算出する。なお、第２のカウンタ３５は１垂直期間算出するため、本実施形態の場合は０以上６００以下の値を取り、６００以上をカウントする場合でも６００とするカウンタである。以上のようにして得られた算出値と０以上６００以下の所定の閾値（例えば５４０）との大小を比較し、算出値が閾値以上であればノイズ成分が多い映像信号と做し弱電界信号とし、算出値が閾値未満であるとノイズ成分が少ない映像信号と做し非弱電界信号と第２の判別器３６が判別する。なお、第２の閾値設定器３７で設定する閾値も、映像信号の弱電界・非弱電界判別結果と、当該映像信号を圧縮符号化記録した記録信号の画質との関係に応じて設定できる値であり、５４０に限定するものではない。
【００１９】
次に、第２の判別器３６が非弱電界信号と判別した場合には、切替器２１は圧縮器２３を選択し直接圧縮符号化することで映像信号出力端子２４を介して出力するが、第２の判別器３６が弱電界信号と判別した場合には、当該映像信号から弱電界に起因するノイズをノイズリダクション器２２を選択し、ノイズリダクション器２２を介して圧縮器２３で圧縮符号化し映像信号出力端子２４に出力する。ノイズリダクション器２２としては、実映像信号から変換したディジタル映像信号に含まれる色および輝度信号のノイズ除去を、３次元ノイズリダクション、水平ノイズキャンセラー、及び／またはローパスフィルタ等のノイズ除去手段を単独または必要に応じて適宜組み合わせて用いることができる。
【００２０】
このように、本実施形態では垂直ブランキング期間のノイズ成分を２値化サンプリングすることにより得られた圧縮対象の映像信号の映像信号ノイズ量を１垂直期間累積し、当該累積値と所定の基準値とを比較しカウントした算出値を閾値と比較して弱電界信号か非弱電界信号かを判別した後、弱電界信号と判別した場合のみノイズリダクションを行い圧縮符号化するため、弱電界に起因するノイズのみを選択的にノイズ除去することができ、圧縮符号化した映像信号を高画質化できる効果がある。
【００２１】
（実施の形態３）
上述した実施形態におけるノイズ成分判別部はそれぞれ１種類であったが、ノイズ成分判別部を上述の２種類を適用することもできる。図７は第１の判別器１６による同期信号ノイズ量積算に基づくノイズ成分の判別結果と、第２の判別器３６による映像信号ノイズ量に基づくノイズ成分の判別結果とを用い、弱電界信号か非弱電界信号かを判別する第３の判別器４０を備えた映像信号圧縮装置の構成を示すブロック図である。すなわち、実施の形態１と同様にして同期信号ノイズ量に基づく弱電界信号か非弱電界信号かを第１の判別器１６で判別し、これと並行して実施の形態２と同様にして映像信号ノイズ量に基づく弱電界信号か非弱電界信号かを第２の判別器３６で判別し、例えば第１の判別器１６が弱電界信号と判別し、かつ、第２の判別器３６でも弱電界信号と判別した場合に、第３の判別器４０が弱電界信号であると判別し、映像信号圧縮処理部２０の切替器２１をノイズリダクションき２２に切り替え、圧縮器２３で圧縮符号化する構成である。このように、第１の判別器１６と第２の判別器３６が共に弱電界信号であると判別した場合のみ当該映像信号のノイズを除去する構成を採用すると、弱電界信号の判別基準をより厳密にできるため、圧縮符号化記録した画像の画質はより向上できると共に、圧縮率自体はそれぞれ単独の場合と同じ構成をとれるため、圧縮効率は変化なく記録媒体の情報層に映像信号を記録できる効果がある。
【００２２】
なお、圧縮処理部２０に入力する映像信号は予め量子化器２で量子化したディジタル信号であるため、上述した実施の形態１〜３で述べたようにノイズリダクション器２２を介して切替器２１に入力する信号と切替器２１に直接入力する信号とを分岐しても、図８に示したように量子化器２で量子化した映像信号を先ず切替器２１に入力し、ノイズ判別器１６及び／または３６の判別結果に応じて当該映像信号を分岐する構成であっても良い。
【００２３】
なお、上記実施形態は何れもＮＴＳＣ規格の場合を例に採り説明したが、例えばＰＡＬ等の他のテレビジョン規格であっても、基準値及び閾値を規格に応じて適宜変更することで全く同様の思想にて弱電界信号に起因するノイズ成分を抽出することができる。
【産業上の利用可能性】
【００２４】
本発明の映像信号圧縮装置は、ノイズ成分を判別した結果に基づき、ノイズ成分が多い映像信号のみ当該映像信号に混入するノイズ成分を除去した後圧縮符号化する構成を有するため、入力する映像信号によらず記録媒体に記録する映像信号のノイズ成分まで圧縮符号化するというロスを解消することができる。
【図面の簡単な説明】
【００２５】
【図１】本発明の画像信号圧縮装置における一実施形態のブロック構成図
【図２】水平ブランキング期間の構成を説明するタイミング図
【図３】同実施形態におけるフローチャート
【図４】本発明の画像信号圧縮装置における他の実施形態のブロック構成図
【図５】垂直ブランキング期間の構成を説明するタイミング図
【図６】同実施形態におけるフローチャート
【図７】本発明の画像信号圧縮装置における別の実施形態のブロック構成図
【図８】本発明の画像信号圧縮装置における他の実施形態のブロック構成図
【符号の説明】
【００２６】
１  映像信号入力端子
２  量子化器
１０  第１のノイズ判別部
１１、３１  同期信号分離器
１２  同期信号ノイズ量積算器
１３  第１の比較器
１４  第１の基準値設定器
１５  第１のカウンタ
１６  第１の判別器
１７  第１の閾値設定器
２０  圧縮処理部
２１  切替器
２２  ノイズリダクション器
２３  圧縮器
２４  映像信号出力端子
３０  第２のノイズ判別部
３２  映像信号ノイズ量積算器
３３  第２の比較器
３４  第２の基準値設定器
３５  第２のカウンタ
３６  第２の判別器
３７  第２の閾値設定器
【図１】
2005167553.tif 000003
【図２】
2005167553.tif 000004
【図３】
2005167553.tif 000005
【図４】
2005167553.tif 000006
【図５】
2005167553.tif 000007
【図６】
2005167553.tif 000008
【図７】
2005167553.tif 000009
【図８】
2005167553.tif 000010